(57)【要約】【課題】ディスク装置本体内のディスクがディスク装置本体内からうまく取り出されることができなかったり、ディスク装置本体内部に引っ掛けられたディスクに傷が付いたりすることを回避させる。【解決手段】ディスクＭがディスク装置本体１１内に備えられたときにディスクＭを回動可能に固定させるときに用いられるディスククランプ装置４３０用クランパ取付部材３０であって、ディスクＭが内装されたディスク装置本体１１が略逆さまにされたときに、ディスクＭがディスク装置本体１１内のディスク搬送部材２０上から落下されてディスク装置本体内部１２に引っ掛けられることを防ぐディスク落下引掛り防止部４０を有する。ディスク落下引掛り防止部４０を備えるディスク装置１０を構成させる。【選択図】図１
2010086650.tif 000002
【特許請求の範囲】
【請求項１】
ディスクがディスク装置本体内に備えられたときに該ディスクを回動可能に固定させるときに用いられるディスククランプ装置用クランパ取付部材であって、前記ディスクが内装された前記ディスク装置本体が略逆さまにされたときに、該ディスクが該ディスク装置本体内のディスク搬送部材上から落下されてディスク装置本体内部に引っ掛けられることを防ぐディスク落下引掛り防止部を有することを特徴とするディスククランプ装置用クランパ取付部材。
【請求項２】
前記ディスク装置本体に対し前記ディスク搬送部材の引出方向が前側方向とされ、該ディスク装置本体に対し該ディスク搬送部材の挿入方向が後側方向とされたときに、前記ディスク落下引掛り防止部は、クランパ取付部材本体の前記後側方向に略沿って延設されたことを特徴とする請求項１に記載のディスククランプ装置用クランパ取付部材。
【請求項３】
前記ディスク落下引掛り防止部は、クランパ取付部材本体に対し略平行に延設されたディスク落下引掛り防止部本体を有することを特徴とする請求項１又は２に記載のディスククランプ装置用クランパ取付部材。
【請求項４】
前記ディスク落下引掛り防止部は、クランパ取付部材本体に対し略平行に延設されたディスク落下引掛り防止部本体と、該ディスク落下引掛り防止部本体に対し略直交する方向に沿って前記ディスク搬送部材に向けて延設されたディスク停止部と、を有することを特徴とする請求項１〜３の何れか１項に記載のディスククランプ装置用クランパ取付部材。
【請求項５】
前記ディスク落下引掛り防止部は、前記ディスク装置内のピックアップ装置上に異物が溜まることを防ぐ異物堆積防止部を兼ねたことを特徴とする請求項１〜４の何れか１項に記載のディスククランプ装置用クランパ取付部材。
【請求項６】
ディスクが内装されたディスク装置本体が略逆さまにされたときに、該ディスクが該ディスク装置本体内のディスク搬送部材上から落下されてディスク装置本体内部に引っ掛けられることを防ぐディスク落下引掛り防止部を備えることを特徴とするディスク装置。
【請求項７】
前記ディスクが前記ディスク装置本体内に備えられたときに、該ディスクを回動可能に固定させるときに用いられるディスククランプ装置用クランパ取付部材に、前記ディスク落下引掛り防止部が備えられたことを特徴とする請求項６に記載のディスク装置。
【請求項８】
前記ディスク装置本体に対し前記ディスク搬送部材の引出方向が前側方向とされ、該ディスク装置本体に対し該ディスク搬送部材の挿入方向が後側方向とされたときに、前記ディスク落下引掛り防止部は、前記クランパ取付部材の前記後側方向に略沿って延設されたことを特徴とする請求項７に記載のディスク装置。
【請求項９】
前記ディスク落下引掛り防止部は、前記クランパ取付部材を構成するクランパ取付部材本体に対し略平行に延設されたディスク落下引掛り防止部本体を有することを特徴とする請求項７又は８に記載のディスク装置。
【請求項１０】
前記ディスク落下引掛り防止部は、前記クランパ取付部材を構成するクランパ取付部材本体に対し略平行に延設されたディスク落下引掛り防止部本体と、該ディスク落下引掛り防止部本体に対し略直交する方向に沿って前記ディスク搬送部材に向けて延設されたディスク停止部と、を有することを特徴とする請求項７〜９の何れか１項に記載のディスク装置。
【請求項１１】
前記ディスク落下引掛り防止部は、前記ディスク装置内のピックアップ装置上に異物が溜まることを防ぐ異物堆積防止部を兼ねたことを特徴とする請求項６〜１０の何れか１項に記載のディスク装置。
【発明の詳細な説明】
【技術分野】
【０００１】
本発明は、ディスククランプ装置用クランパ取付部材およびディスク装置に関するものである。
【背景技術】
【０００２】
ディスク装置が用いられて、ディスクのデータが読み出される。また、ディスク装置が用いられて、ディスクにデータが記録される。ディスクとして、例えば、ＣＤ（コンパクトディスク）、ＤＶＤ（デジタルバーサティルディスク）などが挙げられる。「ＣＤ」は、「Ｃｏｍｐａｃｔ  Ｄｉｓｃ」（商標）の略称である。また、「ＤＶＤ」（登録商標）は、「Ｄｉｇｉｔａｌ  Ｖｅｒｓａｔｉｌｅ  Ｄｉｓｃ」の略称である。
【０００３】
ディスク装置に関するものとして、例えば、薄型化を図ることができるディスク状記録媒体の挿脱方法およびディスクドライブ装置というものがある（例えば特許文献１参照）。
【先行技術文献】
【特許文献】
【０００４】
【特許文献１】特開２００５−３８４８３号公報（第１，６頁、図１−図９）
【発明の概要】
【発明が解決しようとする課題】
【０００５】
しかしながら、上記従来のディスク装置にあっては、ディスク装置内にディスクが挿入されたのちに、例えばディスク装置の電源が強制的に切られた場合、ディスク装置内のディスクが手動操作によってディスク装置内から取り出されようとされるときに、ディスク装置が上下略逆さまに取り扱われることがある。
【０００６】
そのときに、ディスク装置内のトレー上に備えられていたディスクがディスク装置内のクランプ機構のクランパ取付板金いわゆるストッパ上に落ちて複雑な機構部に引っ掛けられることがある。
【０００７】
そのため、手動操作によってディスク装置本体からトレーを引き出してディスク装置内のディスクをディスク装置内から取り出そうとするときに、ディスク装置内のディスクがディスク装置内からうまく取り出されることができなかったり、ディスク装置内から無理やりディスクを引き抜こうとするあまり、ディスク装置内の複雑な機構部に引っ掛けられたディスクに傷が付いたりするといった不具合の発生が懸念されていた。
【課題を解決するための手段】
【０００８】
上記課題を解決するために、本発明の請求項１に係るディスククランプ装置用クランパ取付部材は、ディスクがディスク装置本体内に備えられたときに該ディスクを回動可能に固定させるときに用いられるディスククランプ装置用クランパ取付部材であって、前記ディスクが内装された前記ディスク装置本体が略逆さまにされたときに、該ディスクが該ディスク装置本体内のディスク搬送部材上から落下されてディスク装置本体内部に引っ掛けられることを防ぐディスク落下引掛り防止部を有することを特徴とする。
【０００９】
上記構成により、ディスクが内装されたディスク装置本体が略逆さまにされたときに、ディスクがディスク装置本体内のディスク搬送部材上から落下され、そのときに、ディスク装置本体内部にディスクが引っ掛けられてディスク装置本体内のディスクがディスク装
置本体内からうまく取り出されることができなかったり、ディスク装置本体内部に引っ掛けられたディスクに傷が付いたりするといった不具合の発生は、ディスククランプ装置用クランパ取付部材に備えられたディスク落下引掛り防止部により回避される。
【００１０】
請求項２に係るディスククランプ装置用クランパ取付部材は、請求項１に記載のディスククランプ装置用クランパ取付部材において、前記ディスク装置本体に対し前記ディスク搬送部材の引出方向が前側方向とされ、該ディスク装置本体に対し該ディスク搬送部材の挿入方向が後側方向とされたときに、前記ディスク落下引掛り防止部は、クランパ取付部材本体の前記後側方向に略沿って延設されたことを特徴とする。
【００１１】
上記構成により、上記不具合の発生は、ディスククランプ装置用クランパ取付部材本体の後側方向に略沿って延設されたディスク落下引掛り防止部により回避される。ディスクが内装されたディスク装置本体が略逆さまにされた状態で、手動操作が行われてディスク装置本体からディスク搬送部材が引き出されることにより、ディスク装置本体内のディスクがディスク装置内から取り出されようとされる場合に、ディスククランプ装置用クランパ取付部材本体の後側方向に略沿ってディスク落下引掛り防止部が延設されているので、ディスク落下引掛り防止部本体上に落下されたディスクがディスク装置本体内部に引っ掛けられるということは回避される。
【００１２】
請求項３に係るディスククランプ装置用クランパ取付部材は、請求項１又は２に記載のディスククランプ装置用クランパ取付部材において、前記ディスク落下引掛り防止部は、クランパ取付部材本体に対し略平行に延設されたディスク落下引掛り防止部本体を有することを特徴とする。
【００１３】
上記構成により、上記不具合の発生は、ディスククランプ装置用クランパ取付部材に備えられたディスク落下引掛り防止部により回避される。ディスクが内装されたディスク装置本体が略逆さまにされたときに、ディスクがディスク装置本体内のディスク搬送部材上から落下されても、ディスクは、クランパ取付部材本体に対し略平行に延設されたディスク落下引掛り防止部本体上に備えられる。従って、ディスク落下引掛り防止部本体上に落下されたディスクがディスク装置本体内部に引っ掛けられるということは回避される。
【００１４】
請求項４に係るディスククランプ装置用クランパ取付部材は、請求項１〜３の何れか１項に記載のディスククランプ装置用クランパ取付部材において、前記ディスク落下引掛り防止部は、クランパ取付部材本体に対し略平行に延設されたディスク落下引掛り防止部本体と、該ディスク落下引掛り防止部本体に対し略直交する方向に沿って前記ディスク搬送部材に向けて延設されたディスク停止部と、を有することを特徴とする。
【００１５】
上記構成により、上記不具合の発生は、ディスククランプ装置用クランパ取付部材に備えられたディスク落下引掛り防止部により確実に回避される。ディスクが内装されたディスク装置本体が略逆さまにされたときに、ディスクがディスク装置本体内のディスク搬送部材上から落下されても、ディスクは、クランパ取付部材本体に対し略平行に延設されたディスク落下引掛り防止部本体上に確実に備えられる。また、ディスク落下引掛り防止部本体に対し略直交する方向に沿ってディスク搬送部材に向けて延設されたディスク停止部により、ディスク落下引掛り防止部本体上に落下されたディスクがディスク装置本体内部に引っ掛けられるということは確実に回避される。
【００１６】
請求項５に係るディスククランプ装置用クランパ取付部材は、請求項１〜４の何れか１項に記載のディスククランプ装置用クランパ取付部材において、前記ディスク落下引掛り防止部は、前記ディスク装置内のピックアップ装置上に異物が溜まることを防ぐ異物堆積防止部を兼ねたことを特徴とする。
【００１７】
上記構成により、上記不具合の発生が回避されると共に、ディスク装置内のピックアップ装置上に異物が溜まるという不具合の発生は回避される。
【００１８】
請求項６に係るディスク装置は、ディスクが内装されたディスク装置本体が略逆さまにされたときに、該ディスクが該ディスク装置本体内のディスク搬送部材上から落下されてディスク装置本体内部に引っ掛けられることを防ぐディスク落下引掛り防止部を備えることを特徴とする。
【００１９】
上記構成により、ディスクが内装されたディスク装置本体が略逆さまにされたときに、ディスクがディスク装置本体内のディスク搬送部材上から落下され、そのときに、ディスク装置本体内部にディスクが引っ掛けられてディスク装置本体内のディスクがディスク装置本体内からうまく取り出されることができなかったり、ディスク装置本体内部に引っ掛けられたディスクに傷が付いたりするといった不具合の発生は、ディスク装置本体内に備えられたディスク落下引掛り防止部により回避される。
【００２０】
請求項７に係るディスク装置は、請求項６に記載のディスク装置において、前記ディスクが前記ディスク装置本体内に備えられたときに、該ディスクを回動可能に固定させるときに用いられるディスククランプ装置用クランパ取付部材に、前記ディスク落下引掛り防止部が備えられたことを特徴とする。
【００２１】
上記構成により、上記不具合の発生は、ディスククランプ装置用クランパ取付部材に備えられたディスク落下引掛り防止部により回避される。
【００２２】
請求項８に係るディスク装置は、請求項７に記載のディスク装置において、前記ディスク装置本体に対し前記ディスク搬送部材の引出方向が前側方向とされ、該ディスク装置本体に対し該ディスク搬送部材の挿入方向が後側方向とされたときに、前記ディスク落下引掛り防止部は、前記クランパ取付部材の前記後側方向に略沿って延設されたことを特徴とする。
【００２３】
上記構成により、上記不具合の発生は、ディスク装置本体内のクランパ取付部材の後側方向に略沿って延設されたディスク落下引掛り防止部により回避される。ディスクが内装されたディスク装置本体が略逆さまにされた状態で、手動操作が行われてディスク装置本体からディスク搬送部材が引き出されることにより、ディスク装置本体内のディスクがディスク装置内から取り出されようとされる場合に、ディスク装置本体内のクランパ取付部材の後側方向に略沿ってディスク落下引掛り防止部が延設されているので、ディスク落下引掛り防止部本体上に落下されたディスクがディスク装置本体内部に引っ掛けられるということは回避される。
【００２４】
請求項９に係るディスク装置は、請求項７又は８に記載のディスク装置において、前記ディスク落下引掛り防止部は、前記クランパ取付部材を構成するクランパ取付部材本体に対し略平行に延設されたディスク落下引掛り防止部本体を有することを特徴とする。
【００２５】
上記構成により、上記不具合の発生は、ディスク装置本体内のクランパ取付部材に備えられたディスク落下引掛り防止部により回避される。ディスクが内装されたディスク装置本体が略逆さまにされたときに、ディスクがディスク装置本体内のディスク搬送部材上から落下されても、ディスクは、クランパ取付部材本体に対し略平行に延設されたディスク落下引掛り防止部本体上に備えられる。従って、ディスク落下引掛り防止部本体上に落下されたディスクがディスク装置本体内部に引っ掛けられるということは回避される。
【００２６】
請求項１０に係るディスク装置は、請求項７〜９の何れか１項に記載のディスク装置において、前記ディスク落下引掛り防止部は、前記クランパ取付部材を構成するクランパ取付部材本体に対し略平行に延設されたディスク落下引掛り防止部本体と、該ディスク落下引掛り防止部本体に対し略直交する方向に沿って前記ディスク搬送部材に向けて延設されたディスク停止部と、を有することを特徴とする。
【００２７】
上記構成により、上記不具合の発生は、ディスク装置本体内のクランパ取付部材に備えられたディスク落下引掛り防止部により確実に回避される。ディスクが内装されたディスク装置本体が略逆さまにされたときに、ディスクがディスク装置本体内のディスク搬送部材上から落下されても、ディスクは、クランパ取付部材本体に対し略平行に延設されたディスク落下引掛り防止部本体上に確実に備えられる。また、ディスク落下引掛り防止部本体に対し略直交する方向に沿ってディスク搬送部材に向けて延設されたディスク停止部により、ディスク落下引掛り防止部本体上に落下されたディスクがディスク装置本体内部に引っ掛けられるということは確実に回避される。
【００２８】
請求項１１に係るディスク装置は、請求項６〜１０の何れか１項に記載のディスク装置において、前記ディスク落下引掛り防止部は、前記ディスク装置内のピックアップ装置上に異物が溜まることを防ぐ異物堆積防止部を兼ねたことを特徴とする。
【００２９】
上記構成により、上記不具合の発生が回避されると共に、ディスク装置内のピックアップ装置上に異物が溜まるという不具合の発生は回避される。
【発明の効果】
【００３０】
本発明によれば、ディスクが内装されたディスク装置本体が略逆さまにされたときに、ディスクがディスク装置本体内のディスク搬送部材上から落下され、そのときに、ディスク装置本体内部にディスクが引っ掛けられてディスク装置本体内のディスクがディスク装置本体内からうまく取り出されることができなかったり、ディスク装置本体内部に引っ掛けられたディスクに傷が付いたりするといった不具合の発生は、ディスククランプ装置用クランパ取付部材に備えられたディスク落下引掛り防止部により回避させることができる。
【００３１】
また、本発明によれば、ディスクが内装されたディスク装置本体が略逆さまにされたときに、ディスクがディスク装置本体内のディスク搬送部材上から落下され、そのときに、ディスク装置本体内部にディスクが引っ掛けられてディスク装置本体内のディスクがディスク装置本体内からうまく取り出されることができなかったり、ディスク装置本体内部に引っ掛けられたディスクに傷が付いたりするといった不具合の発生は、ディスク装置本体内に備えられたディスク落下引掛り防止部により回避させることができる。
【図面の簡単な説明】
【００３２】
【図１】（Ａ）は本発明に係るディスククランプ装置用クランパ取付部材およびディスク装置を示す平面図、（Ｂ）は本発明に係るディスククランプ装置用クランパ取付部材およびディスク装置を側面から眺めた状態を示す説明図である。
【図２】本発明に係るディスク装置の一実施形態を示す説明図である。
【図３】ディスク装置に装備されるピックアップ装置の一実施形態を示す斜視図である。
【発明を実施するための形態】
【００３３】
以下に本発明に係るディスククランプ装置用クランパ取付部材およびディスク装置の一実施の形態を図面に基づいて詳細に説明する。
【００３４】
図３に示す磁性部材５０、磁気連結部材６０は、駆動装置３１０の固定部３２０を構成する。また、複数の対物レンズ１１０，１２０、保持部材９０、複数の磁性部材５０に対応する複数のコイル７０、保持部材９０に複数の対物レンズ１１０，１２０や複数のコイル７０等が取り付けられて構成された可動部組立体１００、可動部組立体１００を支持する複数の支持部材８０は、駆動装置３１０の可動部３３０を構成する。ピックアップ装置３００の対物レンズ１１０，１２０の駆動装置３１０は、前記固定部３２０と前記可動部３３０とを備える例えばアクチュエータ３１０として構成されている。
【００３５】
図２および図３に示すピックアップ装置３００として、例えばレーザ光（ＬＡＳＥＲ：ｌｉｇｈｔ  ａｍｐｌｉｆｉｃａｔｉｏｎ  ｂｙ  ｓｔｉｍｕｌａｔｅｄｅｍｉｓｓｉｏｎ  ｏｆ  ｒａｄｉａｔｉｏｎ）を出射可能な光ピックアップ装置３００が用いられている。例えば光ピックアップ（ｏｐｔｉｃａｌ  ｐｉｃｋｕｐ）又は光ピックアップ装置（ｏｐｔｉｃａｌ  ｐｉｃｋｕｐ  ｕｎｉｔ）は、「ＯＰＵ」と略称される。また、図２に示すディスク装置１０として、例えばレーザ光を出射可能な光ディスク装置１０が用いられている。また、対物レンズ（ｏｂｊｅｃｔｉｖｅ  ｌｅｎｓ）は、例えば「ＯＢＬ」と略称して用いられている。また、保持部材９０（図３）いわゆるレンズホルダ９０に二つのＯＢＬ１１０，１２０や六つのコイル７０等が取り付けられて構成された可動部組立体１００は、例えばレンズ・ホルダ組立体１００とされる。
【００３６】
図２および図３に示すＯＰＵ３００は、各種ディスクＭ（図２）等の各種メディアＭに対応する。ディスクＭとして例えば光ディスクＭ等が挙げられる。ＯＰＵ３００は、各種光ディスクＭ等の各種メディアＭに記録されたデータ、情報、信号等を再生させる。また、ＯＰＵ３００は、書込み可能もしくは書換え可能な各種光ディスクＭ等の各種メディアＭにデータ、情報、信号、画像等を記録させる。また、データ、情報、信号等の消去が可能な各種光ディスクＭ等の各種メディアＭに対応して、ＯＰＵ３００は、各種光ディスクＭ等の各種メディアＭに記録されたデータ、情報、信号等を消去させる。メディア（ｍｅｄｉａ）とは、例えば、データ、情報、信号などが保存されるディスク等を意味する。
【００３７】
また、ＯＰＵ３００は、例えば「ＣＤ」（Ｃｏｍｐａｃｔ  Ｄｉｓｃ）（商標）系列のメディア、「ＤＶＤ」（登録商標）（Ｄｉｇｉｔａｌ  Ｖｅｒｓａｔｉｌｅ  Ｄｉｓｃ）系列のメディア、「ＨＤ  ＤＶＤ」（Ｈｉｇｈ  Ｄｅｆｉｎｉｔｉｏｎ  ＤＶＤ）（登録商標）系列のメディア、中国において定められた規格に基づくメディアとされる「ＣＢＨＤ（Ｃｈｉｎａ  Ｂｌｕｅ  Ｈｉｇｈ−Ｄｅｆｉｎｉｔｉｏｎ）」（例：旧名「ＣＨ−ＤＶＤ」）系列のメディア、「Ｂｌｕ−ｒａｙ  Ｄｉｓｃ」（登録商標）系列のメディアに対応する。ＯＰＵ３００は、例えば、上記各種メディアからなる群から選ばれる少なくとも一種のメディアに対応したものとされている。具体的に説明すると、ＯＰＵ３００は、上記複数の何れかのメディアに対応したものとされている。
【００３８】
メディアＭとして例えば上記各種光ディスクＭ等が挙げられるが、次の形態をしたメディアＭも挙げられる。例えば、ディスク（Ｍ）として、ディスク両面に信号面部（Ｍａ）が設けられ、データ書込み／消去やデータ書換え等が可能とされた光ディスク（Ｍ）等も挙げられる。また、ディスク（Ｍ）として、例えば二層の信号面部（Ｍａ）が設けられ、データ書込み／消去やデータ書換え等が可能とされた光ディスク（Ｍ）等も挙げられる。なお、この明細書における符号に付けられた括弧（  ）は、図示等されたものと若干異なるものを説明するために、便宜上、用いられている。また、例えば三層の信号面部が設けられ、データ書込み／消去やデータ書換え等が可能とされた「ＨＤ  ＤＶＤ」用光ディスク等も挙げられる（図示せず）。また、例えば四層の信号面部が設けられ、データ書込み／消去やデータ書換え等が可能とされた「Ｂｌｕ−ｒａｙ  Ｄｉｓｃ」用光ディスク等も挙げられる（図示せず）。また、例えば光ディスク（Ｍ）のレーベル面部の側にレーザ光を照射させてレーベル等の各種書込み等を行うことが可能とされた光ディスク（Ｍ）等も
挙げられる。光ディスクＭの信号面部Ｍａ、レーベル面部は、例えば金属薄膜などの薄層等を備えて構成されている。金属薄膜などを備えて構成される信号面部Ｍａにデータ、情報、信号などが記録され、レーベル面部に画像などが記録される。光ディスクＭの信号面部Ｍａは、例えば金属薄層などを備えて構成される信号層Ｍａとして構成されている。
【００３９】
発光素子を構成する光学部材（図示せず）に電流が供給されて発光素子を構成する不図示の光学部材から出射されるレーザ光により、光ディスクＭ（図２）に情報の記録が行われたり、光ディスクＭに記録された情報が再生されたり、光ディスクＭに記録された情報が消去されたりする。発光素子として例えば半導体レーザ等が挙げられる。
【００４０】
ＯＰＵ３００のアクチュエータ３１０を用いてＯＰＵ３００のＯＢＬ１１０，１２０を上下／左右動させることにより、光ディスクＭの信号層Ｍａにレーザ光の焦点が合わせられる。詳しく説明すると、光ディスクＭの信号層Ｍａに精度の高いレーザスポットを照射形成させるときに、ＯＰＵ３００のアクチュエータ３１０により、レンズホルダ９０に装備されたＯＢＬ１１０，１２０が、フォーカシング方向Ｄ１、トラッキング方向Ｄ２、並びに必要に応じてチルト方向等に略沿って動かされる。このＯＰＵ３００は、ＯＢＬ１１０，１２０によるレーザ光の焦点合せが行われるときに、フォーカシング調整と、トラッキング調整と、必要に応じてチルト調整と、を実行する。また、フォーカシング調整と、トラッキング調整と、チルト調整と、は、例えば略同時に実行される。
【００４１】
フォーカスとは、例えば焦点やピントを意味する。また、フォーカシングとは、焦点を合わせることや、焦点が合わせられることを意味する。また、トラックとは、例えば光ディスクにおける信号の軌道を意味する。また、トラッキングとは、光を用いて、光ディスクの信号面に設けられた微小信号部を追跡観測し、略螺旋状に描かれた軌道の位置を定めることを意味する。また、光ディスク装置または光ピックアップ装置におけるチルトとは、ディスク面と対物レンズ光軸との角度ずれを意味する。
【００４２】
例えば、光ディスクＭに対し、ＯＢＬ１１０，１２０が装着されたレンズホルダ９０を備えるレンズ・ホルダ組立体１００のフォーカスサーボが行われるときに、ＯＢＬ１１０，１２０が装着されたレンズホルダ９０を備えるレンズ・ホルダ組立体１００は、上下方向Ｄ１に沿って動かされる。また、光ディスクＭに対し、ＯＢＬ１１０，１２０が装着されたレンズホルダ９０を備えるレンズ・ホルダ組立体１００のトラッキングサーボが行われるときに、ＯＢＬ１１０，１２０が装着されたレンズホルダ９０を備えるレンズ・ホルダ組立体１００は、左右方向Ｄ２に沿って動かされる。サーボもしくはサーボ機構とは、制御の対象とされるものの状態を測定し、測定したものと基準値とを比較して、自動的に修正制御を行わせる機構のものを意味する。ＯＢＬ１１０，１２０によって絞られたレーザ光の焦点が光ディスクＭの信号層Ｍａに合わせられるときに、ＯＢＬ１１０，１２０が装備されたレンズホルダ９０を含むレンズ・ホルダ組立体１００は、アクチュエータ３１０により上下左右等に駆動させられる。
【００４３】
なお、図２および図３に示すＯＰＵ３００においては、ＯＢＬ１１０，１２０の光軸方向Ｄ１に略沿った方向とされるフォーカス方向Ｄ１と、光ディスクＭの一半径方向Ｄ２に略沿った方向とされるトラッキング方向Ｄ２と、に直交する方向とされるタンジェンシャル方向Ｄ３に略沿って、レンズホルダ９０に一対のＯＢＬ１１０，１２０が並設されているが、光ディスク装置（１０）、ＯＰＵ（３００）等の設計／仕様等により、例えば、光ディスク（Ｍ）の一半径方向（Ｄ２）に略沿った方向とされるトラッキング方向（Ｄ２）に略沿って、レンズホルダ（９０）に一対のＯＢＬ（１１０，１２０）が並設されてもよい。また、複数のＯＢＬ（１１０，１２０）とされることなく一つのＯＢＬがレンズホルダ（９０）に装備されてもよい。
【００４４】
図３に示すＯＰＵ３００は、光ディスクＭ（図２）にレーザ光を照射させる光学部材いわゆるレーザダイオード（ＬＤ：ｌａｓｅｒ  ｄｉｏｄｅ）（図示せず）を備える。また、このＯＰＵ３００は、ＬＤに電気を流してＬＤを光らせる駆動回路部いわゆるレーザドライバ（ＬＤＤ：ＬＤ  ｄｒｉｖｅｒ）（図示せず）を備える。また、このＯＰＵ３００は、ＬＤ等の電気系部品とＬＤＤ等の電気系部品とを通電可能に接続するフレキシブルプリント回路体（図示せず）などのフレキシブル基板（図示せず）を備える。フレキシブルプリント回路体（Ｆｌｅｘｉｂｌｅ  Ｐｒｉｎｔｅｄ  Ｃｉｒｃｕｉｔ）は、「ＦＰＣ」と略称される。ＦＰＣは、半田付け等が行われるときの耐熱性などに優れるポリイミド（ＰＩ：ｐｏｌｙｉｍｉｄｅ）系樹脂などの耐熱性合成樹脂製の絶縁シートに複数の回路導体が印刷されて、例えば銅箔などの金属箔が絶縁シートに並設され、その上に透明もしくは半透明の保護層が設けられて構成される（何れも図示せず）。
【００４５】
例えば不図示のＬＤＤからＦＰＣを通してＬＤへ電気が流されて、ＬＤからレーザ光が出力される。例えば、波長が約７６５〜８４０ｎｍ（ナノメートル）、基準とされる波長が略７８０ｎｍの赤外レーザ光を出射可能な「ＣＤ」用の０．２〜５００ｍＷ（ミリワット）のレーザ光がＬＤから出射される。また、例えば、波長が約６３０〜６８５ｎｍ、基準とされる波長が略６３５ｎｍまたは６５０ｎｍの赤色レーザ光を出射可能な「ＤＶＤ」用の０．２〜５００ｍＷのレーザ光がＬＤから出射される。ＬＤは、例えば、基準とされる波長が略７８０ｎｍとされ波長が略７６５〜８４０ｎｍの第一波長レーザ光と、基準とされる波長が略６３５ｎｍまたは６５０ｎｍとされ波長が略６３０〜６８５ｎｍの第二波長レーザ光と、を出射可能な二波長ＬＤとして構成される。
【００４６】
光ディスク装置１０、ＯＰＵ３００等の設計／仕様等により、例えば、波長が約３４０〜４５０ｎｍ、好ましくは約３８０〜４５０ｎｍ、より好ましくは約４００ｎｍを超え４５０ｎｍ以下、基準とされる波長が略４０５ｎｍの青紫色レーザ光を出射可能な「ＣＢＨＤ」、「ＨＤ  ＤＶＤ」、「Ｂｌｕ−ｒａｙ  Ｄｉｓｃ」用の０．２〜５００ｍＷのレーザ光がＬＤ（１０）から出射される。この場合、ＬＤ（１０）は、例えば、基準とされる波長が略７８０ｎｍとされ且つ出射波長が略７６５〜８４０ｎｍの第一波長レーザ光と、基準とされる波長が略６３５ｎｍまたは６５０ｎｍとされ且つ出射波長が略６３０〜６８５ｎｍの第二波長レーザ光と、基準とされる波長が略４０５ｎｍとされ且つ出射波長が略３４０〜４５０ｎｍの第三波長レーザ光と、の複数種類の波長のレーザ光を出射可能な特殊なＬＤ（１０）として構成される。また、ＬＤとして、上記各波長のレーザ光を出射可能な単波長ＬＤ（１０）等の各種ＬＤが使用可能とされる。また、ＬＤとして、上記各波長のうち少なくとも一種の波長のレーザ光を出射可能なＬＤが使用可能とされる。
【００４７】
ＬＤから例えば０．２以上５００ｍＷ以下、具体的には０．５以上４００ｍＷ以下の出力値のレーザ光が出射される。例えば０．２ｍＷ未満の出力値のレーザ光とされた場合、光ディスクＭに照射されたのちに反射され不図示の受光素子に届くレーザ光の光量が不足する。光ディスクＭの各データ等を再生させるときには、例えば０．２ｍＷ以上好ましくは０．５ｍＷ以上２０ｍＷ以下程度という数〜数十ｍＷの出力値のレーザ光で十分とされる。光ディスクＭに各データ等を書き込むときには、数十〜数百ｍＷの出力値のレーザ光が必要とされる。例えば光ディスクＭに高速で各データ等を書き込むときには、４００ｍＷや５００ｍＷ等という高い出力値のパルスレーザ光が必要とされることがある。
【００４８】
また、このＯＰＵ３００は、レーザ光を絞らせて光ディスクＭの信号層Ｍａに集光スポットを照射・形成させる一対のＯＢＬ１１０，１２０を備える。ＯＢＬ１１０は、略凸状の曲面部１１１が設けられた凸レンズ１１０として形成されている。また、ＯＢＬ１２０は、略凸状の曲面部１２１が設けられた凸レンズ１２０として形成されている。
【００４９】
例えば、射出成形が可能であって透明または半透明をした熱可塑性の耐熱性合成樹脂材
料が用いられて、射出成形法に基づきＯＢＬ１１０，１２０が形成される。詳しく説明すると、ＯＢＬ１１０，１２０は、例えば、耐候性、鏡面平滑性、精度などに優れ、透明度の高いアクリル／メタクリル系樹脂を基材とした組成物が用いられて、射出成形法に基づき形成される。メタクリル樹脂の正式名称は、ポリメチルメタクリレート（ｐｏｌｙｍｅｔｈｙｌ  ｍｅｔｈａｃｒｙｌａｔｅ）であり、ポリメチルメタクリレートは例えばＰＭＭＡと略称される。また、メタクリル樹脂は、アクリル樹脂と呼ばれることもある。また、ＯＢＬ１１０，１２０は、例えば、加工性などに優れ、価格低減化が図られるポリカーボネート（ＰＣ：ｐｏｌｙ  ｃａｒｂｏｎａｔｅ）系樹脂を基材とした組成物が用いられて形成される。
【００５０】
例えば、合成樹脂材料が用いられてＯＢＬ１１０，１２０が形成されることにより、ＯＢＬ１１０，１２０の軽量化が図られる。また、略凸レンズ状をした合成樹脂製ＯＢＬ１１０，１２０は、射出成形法に基づいて効率よく大量生産される。ＯＢＬ１１０，１２０の大量生産が可能となることにより、ＯＢＬ１１０，１２０の価格低減化が図られる。なお、光ディスク装置１０、ＯＰＵ３００等の設計／仕様等により、半透明性もしくは透明性合成樹脂材料に代えて、例えば半透明性もしくは透明性ガラス材料が用いられてＯＢＬ（１１０）及び／又は（１２０）が形成される。
【００５１】
また、このＯＰＵ３００は、レンズ・ホルダ組立体１００を構成するレンズホルダ９０を備える。レンズホルダ９０は、成形性に優れる熱可塑性の芳香族環含有の耐熱性合成樹脂材料が用いられて、大量生産性に優れる射出成形法に基づき形成される。具体的に説明すると、レンズホルダ９０は、例えば、薄肉／精密成形性に優れると共に半田付け等が行われるときの耐熱性などに優れ、また射出成形性に優れ、さらに鉄材などよりも軽量化が可能とされる液晶ポリマ（ＬＣＰ：ｌｉｑｕｉｄ  ｃｒｙｓｔａｌ  ｐｏｌｙｍｅｒ）を基材とした組成物が用いられて形成される。液晶ポリマとして、例えば耐熱性に優れる全芳香族系液晶樹脂などが挙げられる。射出成形法に基づいてレンズホルダ９０が形成されていれば、レンズホルダ９０が複雑な形状とされていても効率よくレンズホルダ９０の大量生産が可能となる。
【００５２】
また、このＯＰＵ３００は、光ディスクＭの信号層Ｍａから反射されたレーザ光を受光する受光素子いわゆる光検出器またはＰＤＩＣ（ｐｈｏｔｏ  ｄｉｏｄｅ  ＩＣ）もしくはフォトディテクタ（ＰＤ：ｐｈｏｔｏ  ｄｅｔｅｃｔｏｒ）（図示せず）を備える。不図示のＰＤは、例えば四分割タイプ等の複数分割された回折格子（図示せず）を透過したメインビーム（０次光）に対応する平面視略矩形のメイン受光部（図示せず）と、回折格子を透過することで回折分岐された一対のサブビーム（±１次回折光束）に対応する一対の平面視略矩形のサブ受光部（図示せず）との三つの受光部を少なくとも備えて構成される。平面視略矩形のメイン受光部は、略均等に四分割されて平面視略矩形の四つのセグメントを備える。また、平面視略矩形のサブ受光部は、略均等に四分割されて平面視略矩形の四つのセグメントを備える。このように、複数の平面視略矩形のセグメントを備えた複数分割タイプの各受光部を有するＰＤがＯＰＵ３００に装備される。
【００５３】
ＰＤは、光ディスクＭの信号層Ｍａから反射されたレーザ光を受けて、その信号を電気信号に変え、光ディスクＭの信号層Ｍａに記録されたデータ、情報、信号を検出するためのものとされている。また、ＰＤは、光ディスクＭの信号層Ｍａから反射されたレーザ光を受けて、その信号を電気信号に変え、ＯＰＵ３００を構成するＯＢＬ１１０，１２０付レンズホルダ９０を含んだレンズ・ホルダ組立体１００のサーボ機構を動作させるためのものとされている。ＯＰＵ３００により、例えば、光ディスクＭに記録されたデータ／情報／信号が読み出されたり、光ディスクＭにデータ／情報／信号が書き込まれたり、光ディスクＭに記録されたデータ／情報／信号が消されたりするときに、ＰＤの各受光部に各レーザ光が照射されることにより、光ディスクＭのメイン情報信号、光ディスクＭに対す
るフォーカスエラー信号、トラッキングエラー信号などが検出される。
【００５４】
ＯＰＵ３００における光ディスクＭの集光スポットのフォーカシング検出法として、例えば差動非点収差法に基づいた検出法等が挙げられる。差動非点収差法とは、例えば、非点収差をもった光学系で結像した点像ひずみを検出することにより、集光スポットの変位を検出する方法とされる。このＯＰＵ３００における集光スポットのフォーカシング検出法は、例えば差動非点収差法に基づいた検出法とされる。なお、フォーカシング検出法として、例えば、フーコー法、ナイフエッジ法などの他の検出法が併用されてもよい。
【００５５】
また、ＯＰＵ３００における光ディスクＭの集光スポットのトラッキング検出法として、例えば差動プッシュプル（ＤＰＰ：ｄｉｆｆｅｒｅｎｔｉａｌ  ｐｕｓｈ−ｐｕｌｌ）法に基づいた検出法等が挙げられる。差動プッシュプル法とは、例えば、データ読書き用のメインビームと、位置ずれの補正信号を検出する二つのサブビームとにより、集光スポットの変位を検出する方法とされる。このＯＰＵ３００における集光スポットのトラッキング検出法は、例えば差動プッシュプル法に基づいた検出法とされる。なお、トラッキング検出法として、例えば、位相差法、ヘテロダイン検波法などの他の検出法が併用されてもよい。
【００５６】
また、このＯＰＵ３００は、複数の略矩形平板状をした磁性部材５０たとえば磁石５０を備える。例えば各コイル７０に対応する各磁性部材５０として、例えば磁石や磁石鋼などが挙げられる。具体的に説明すると、各コイル７０に対応する各磁性部材５０は、例えば磁石／磁石鋼が用いられて形成される。磁性部材５０は、例えば永久磁石材料などが用いられて形成される。磁石とは、例えば、鉄または酸化鉄を主成分とした磁性体とされる。磁性部材５０は、例えば、酸化鉄、バリウム、ストロンチウムなどが含有されたフェライト系の磁石が用いられて形成される。又は、磁性部材５０は、例えば、鉄、クロム、コバルト、サマリウム、ネオジウム、ボロンなどが含有された希土類系／合金系の磁石、磁石鋼などが用いられて形成される。磁石鋼とは、例えば、クロム、アルミニウム、ニッケル、コバルトなどの合金元素が鉄などに添加された合金鋼で、焼入硬化、析出硬化などによって、保持力と残留磁束密度の高い永久磁石特性とをもち、また、圧延加工などの成形加工が可能な例えば合金系磁石とされる。
【００５７】
略板状をした磁性部材５０は、例えば、フェライト磁石、希土類磁石、塑性加工磁石、鋳造磁石、ボンド磁石、特殊磁石などが用いられて形成される。例えば、磁石５０の取付構造、ＯＰＵ３００の設計／仕様、磁石５０およびヨーク６０の接着方法等により、塩ビ磁石、ゴム磁石、プラスチック磁石、希土類ボンド磁石などのボンド磁石などが用いられて、略板状をした磁性部材５０が形成されてもよい。
【００５８】
例えば永久磁石材料が用いられて各磁石５０が形成される。例えば安価で保磁力が大きく減磁され難い耐食性に優れるフェライト系磁石が用いられて磁石５０が形成される。磁石５０として例えば安価なフェライト磁石が用いられていれば、価格の大幅な上昇が回避されると共に、磁石５０に対するコイル７０の感度が低下することなく、磁石５０に対するコイル７０の感度は、必要レベルに維持される。
【００５９】
また、例えば一面側の一方側に正極部が形成されると共に一面側の他方側に負極部が形成された二極一個の駆動用磁石５０が用いられる。なお、磁石５０の取付構造、ＯＰＵ３００の設計／仕様、磁石５０およびヨーク６０の接着方法等により、例えば磁性部材５０として、一極／二極マグネットや、二極以上着磁された多極着磁マグネットが用いられてもよい。
【００６０】
また、このＯＰＵ３００は、少なくとも二つ好ましく四つより好ましくは六つの略矩形
平板状磁石５０が装備される例えば略コ字状をした磁気連結部材６０たとえばヨーク６０を備える。ヨーク（ｙｏｋｅ）とは、例えば、磁気的な連結を構造的に支持したものを意味する。また、ヨークは、磁石（マグネット）等の磁性部材から生じる磁力の漏れを少なくさせるものとされている。ここではヨーク６０として磁石５０が装備される例えばバックヨーク６０が用いられている。例えばバックヨーク６０は、フレームヨーク６０として取り扱われてもよい。フレーム（ｆｒａｍｅ）とは、例えば、枠や、枠組みや、骨組みを意味する。フレームヨークは、ヨークとしての機能を備えたフレームとして形成される。
【００６１】
各磁石／磁石鋼などの各磁性部材５０が装着されるヨーク６０は、磁性体が引き寄せられる金属材料が用いられて形成される。例えば、圧延鋼板などの薄肉鋼板（何れも図示せず）に、打抜き加工、折曲げ加工、押付け加工などのプレス金型成形加工が行われてヨーク６０が形成される。具体的に説明すると、例えば圧延鋼板などの鉄を主成分とする金属素材板が用いられて、プレス成形機（何れも図示せず）などにより、ヨーク６０が打抜き・折曲げ形成される。鉄を主成分とする金属素材板として、例えば、ステンレス鋼板、圧延鋼板、帯鋼などが挙げられる。例えば、冷間圧延鋼板および／または帯鋼として、「ＪＩＳ  Ｇ  ３１４１」に基づいて定められたＳＰＣＣ，ＳＰＣＤ，ＳＰＣＥ等が挙げられる。
【００６２】
また、このＯＰＵ３００は、略コ字状のヨーク６０に複数の略矩形平板状の磁石５０を接着／接合させたり、他の各種部品などを分離されることなく各々を接着・固定させたりする接着部材たとえば接着剤（図示せず）を備える。不図示の接着剤として、例えば、一液性および／または二液性のエポキシ系樹脂、アクリル系樹脂、ウレタン系樹脂、メタクリル系樹脂などの樹脂／重合体が挙げられる。例えば一液性および／または二液性接着剤を構成する重合体／主剤として、前記樹脂群から選択される樹脂／重合体のうちの何れか一種が用いられる。なお、エポキシ系樹脂、ウレタン系樹脂、熱硬化性アクリル樹脂などは、例えば熱硬化性樹脂／重合体とされる。また、二液性重合体の主剤に対する硬化剤として、例えば、ポリチオール等や、ポリアミドアミン、変性ポリアミン、三級アミン等のアミン系材料等の重合体が挙げられる。例えば二液性接着剤を構成する硬化剤として、前記重合体群から選択される重合体のうちの何れか一種が用いられる。一液性の重合体からなる接着剤は、例えば接着作業性などに優れ、二液性の重合体からなる接着剤は、例えば接着剤の価格特性などに優れる。
【００６３】
また、接着剤として、例えば光などの電子線が照射されることで硬化する特性を有する電子線硬化型接着剤も使用可能とされる。具体的に説明すると、接着剤として、紫外線が照射されることで硬化する特性を有する紫外線硬化型接着剤も使用可能とされる。より詳しく説明すると、接着剤として、紫外線が照射されることで硬化する特性を有すると共に熱硬化特性を有する紫外線硬化型接着剤も使用可能とされる。また、例えば熱硬化型接着剤と共に紫外線硬化型接着剤も併用可能とされる。
【００６４】
また、このＯＰＵ３００は、略矩形箱状をしたレンズ・ホルダ組立体１００に装備され、レンズ・ホルダ組立体１００を弾性支持する複数の略線状をした金属製の弾性支持部材８０いわゆる略線状をした金属製のサスペンションワイヤ８０を備える。例えば、ＯＰＵ３００を構成する略線状の各サスペンションワイヤ８０は、ＯＢＬ１１０，１２０の光軸方向Ｄ１に略沿った方向とされるフォーカス方向Ｄ１と、光ディスクＭの一半径方向Ｄ２に略沿った方向とされるトラッキング方向Ｄ２と、に直交する方向とされるタンジェンシャル方向Ｄ３に略沿って延設される。例えば光ディスクＭの回動位置等により、タンジェンシャル方向Ｄ３は、光ディスクＭの他の半径方向Ｄ３とされる。ＯＰＵ３００のレンズ・ホルダ組立体１００に装備された左右六本のサスペンションワイヤ８０のうちの少なくとも左右四本好ましくは左右六本のサスペンションワイヤ８０に、駆動信号、制御信号等とされる電気が流されることにより、ＯＰＵ３００のレンズ・ホルダ組立体１００に装備
されて各サスペンションワイヤ８０に通電可能に接続された少なくとも四個のコイル７０好ましくは六個のコイル７０に、駆動信号、制御信号等とされる電気が流される。
【００６５】
また、略線状の各サスペンションワイヤ８０は、例えば、燐青銅製の導線が用いられて形成される。例えば、「ＪＩＳ  Ｇ  ３４０２」に基づいて定められたピアノ線材や、「ＪＩＳ  Ｇ  ３５２２」に基づいて定められたピアノ線や、「ＪＩＳ  Ｇ  ３５２１」に基づいて定められた硬鋼線などが用いられて、サスペンションワイヤ８０を構成する素線が形成される。また、サスペンションワイヤ８０は、例えば電気めっき法に基づいて鍍金処理が行われた銅めっき付の導線が用いられて構成される。具体的に説明すると、ばねの耐久力や疲労強度などに優れる鋼線またはピアノ線が用いられ、これに導電性に優れる銅（Ｃｕ）が被覆されて、通電可能なサスペンションワイヤ８０が構成される。
【００６６】
また、このＯＰＵ３００は、例えばサスペンションワイヤ８０に生じる異常振動などを抑制させる例えば略ゲル状の合成重合体製のダンピング材（図示せず）ならびにダンピング材を保持する合成樹脂製のダンピング保持部材１４０を備える。金属製バックヨーク６０の後側に装着された合成樹脂製ダンピング保持部材１４０の各孔１４８に、各サスペンションワイヤ８０が挿通される。また、サスペンションワイヤ８０が挿通されたダンピング保持部材１４０の孔１４８には、例えば柔軟性に富んだ合成重合体製のダンピング材いわゆるダンプ剤が充填される。ダンピング保持部材１４０は、絶縁性に優れる合成樹脂材料が用いられて形成される。ダンピング保持部材１４０は、例えば、ポリカーボネート系樹脂などの合成樹脂材料が用いられて、大量生産性に優れる射出成形法に基づいて形成される。
【００６７】
また、このＯＰＵ３００は、各金属製サスペンションワイヤ８０が通電可能に接続されて取り付けられる回路基板１５０を備える。回路基板は、例えば、ＰＷＢ（ｐｒｉｎｔｅｄ  ｗｉｒｅｄ  ｂｏａｒｄ  ／  ｐｒｉｎｔｅｄ  ｗｉｒｉｎｇ  ｂｏａｒｄ）等と呼ばれている。ＰＷＢ１５０の基板本体１５１は、絶縁性に優れる合成樹脂材料が用いられて形成されている。また、合成樹脂製の基板本体１５１上の回路導体（図示せず）は、導電性に優れる金属箔として形成されている。また、不図示の金属製の回路導体が形成された合成樹脂製の基板本体１５１上に絶縁性に優れる合成樹脂材料が被覆されて、金属製回路導体が形成された合成樹脂製基板本体１５１上に絶縁皮膜（図示せず）が形成されている。
【００６８】
また、このＯＰＵ３００は、ＬＤ、ＰＷＢ１５０等の熱発生部位に塗布される放熱部材たとえば放熱剤（図示せず）を備える。不図示の放熱剤として、例えば、放熱用シリコーン・グリース、放熱用シリコーン・ポッティング材、コーティング材、表面硬化性放熱シリコーン、放熱用シリコーン接着剤などが挙げられる。
【００６９】
また、このＯＰＵ３００は、コイル７０等とサスペンションワイヤ８０等とを通電可能に確実に接続させる半田材を備える。また、このＯＰＵ３００は、サスペンションワイヤ８０等とＰＷＢ１５０等とを通電可能に確実に接続させる半田材を備える。各コイル７０、各サスペンションワイヤ８０などの半田付けが行われるときに用いられる半田材として、環境に配慮された鉛を含有しない半田いわゆる鉛フリー半田が用いられる。半田材として、鉛フリー半田が用いられていれば、例えば、ＯＰＵ３００や、ＯＰＵ３００を備える光ディスク装置１０等が分解・廃棄されるときに、鉛により自然環境に影響が及ぶということが回避される。
【００７０】
また、このＯＰＵ３００は、ＯＰＵ３００の各種部品を保護する被覆板１８０を備える。ＯＰＵ３００が組み立てられるときに、ＯＰＵ３００の上側に、例えば各種部品を保護する被覆板１８０が備えられる。被覆板１８０は、例えば放熱性に優れる薄肉金属板が用
いられてプレス成形されている。薄肉板金製の被覆板１８０に代えて、例えば合成樹脂製の黒色被覆板（１８０）がＯＰＵ３００の上側に備えられてもよい。
【００７１】
また、このＯＰＵ３００は、各種光学系部品、電気系部品、駆動系部品などが装備されるハウジング２００（図２）を備える。ハウジング（ｈｏｕｓｉｎｇ）とは、例えば、装置、部品などの物が収容される箱、箱形のものや、箱に類似したものを意味する。ハウジング２００は、例えば放熱特性に優れる金属材料または摺動特性に優れる樹脂材料が用いられて形成される。
【００７２】
ハウジング２００に装備される光学系部品として、例えば、レーザダイオード（ＬＤ）、１／２波長板（１／２λ板）、開口制限付広帯域１／４波長板（１／４λ板）、液晶補正素子（ＬＣＤ：ｌｉｑｕｉｄ  ｃｒｙｓｔａｌ  ｄｅｖｉｃｅ／ｌｉｑｕｉｄ  ｃｒｙｓｔａｌ  ｄｉｓｐｌａｙ）、回折光学素子（ＤＯＥ：ｄｉｆｆｒａｃｔｉｖｅ  ｏｐｔｉｃａｌ  ｅｌｅｍｅｎｔ）、回折格子（インライン・グレーティング）、ダイバージェントレンズ、プリズム、偏光ビームスプリッタ、ダイクロイックフィルタ、コリメータレンズ、ビームエキスパンダレンズ、ハーフミラー、レフレクトミラー、全反射ミラー、対物レンズ、フロントモニタダイオード、センサレンズ、アナモフィックレンズ、中間レンズ、フォトディテクタなどが挙げられる。このＯＰＵ３００は、前記光学系部品を備える。
【００７３】
また、ハウジング２００に装備される電気系部品として、例えば、プリント基板、記憶装置（ＲＯＭ：ｒｅａｄ−ｏｎｌｙ  ｍｅｍｏｒｙ）、サスペンションワイヤ、コイル、アクチュエータ、フレキシブルプリント回路体、レーザドライバ、レーザダイオード、液晶補正素子、コリメータレンズ等を備えるビームエキスパンダユニット、フロントモニタダイオード、フォトディテクタなどが挙げられる。このＯＰＵ３００は、前記電気系部品を備える。
【００７４】
また、ハウジング２００に装備される駆動系部品として、例えば、サスペンションワイヤ、コイル、磁石、ヨーク、アクチュエータ、対物レンズ、レンズホルダ、コリメータレンズ等を備えるビームエキスパンダユニットなどが挙げられる。このＯＰＵ３００は、前記駆動系部品を備える。
【００７５】
ＯＰＵ３００を構成する各種光学系部品、電気系部品、駆動系部品などの各種部品は、金属製または合成樹脂製のハウジング２００に装備される。ハウジング２００は、各種光学系部品、電気系部品、駆動系部品などの各種部品が装備されるハウジング本体２０１と、ハウジング本体２０１から突設され第一の軸部材４１０と移動可能に合わせられる一対の主軸用の軸受部２１１，２１２と、主軸用の軸受部２１１，２１２に対し反対側に向けてハウジング本体２０１から突設され第二の軸部材４２０と移動可能に合わせられる副軸用の軸受部２２１と、を備えて形成されている。主軸用の軸受部２１１，２１２と、副軸用の軸受部２２１と、は、ハウジング本体２０１と一体成形されている。主軸用の軸受部２１１，２１２と、副軸用の軸受部２２１と、ハウジング本体２０１と、は、例えば同一の金属材料または同一の合成樹脂材料が用いられて一つのものとして形成される。
【００７６】
ＯＰＵ３００を構成するハウジング２００は、例えば、アルミニウム（Ａｌ）、マグネシウム（Ｍｇ）、亜鉛（Ｚｎ）からなる群から選択される少なくとも一種以上の元素を含有する非鉄金属、ダイカスト合金などの金属が用いられて形成される。アルミニウム、マグネシウム、亜鉛は、耐食性に優れたものとされ、鉄よりも比重の小さい非鉄金属とされている。例えばアルミニウムを主成分とするアルミニウム合金などの非鉄金属材料が用いられてハウジング２００が形成される。
【００７７】
又は、ＯＰＵ３００を構成するハウジング２００は、例えば、機械的特性、摺動特性、寸法安定性、耐熱性、射出成形性、絶縁特性などの電気的特性などに優れ、さらに鉄材などよりも軽量化が可能とされるポリフェニレンサルファイド（ＰＰＳ：ｐｏｌｙ  ｐｈｅｎｙｌｅｎｅ  ｓｕｌｆｉｄｅ）樹脂等のポリアリーレンサルファイド（ＰＡＳ：ｐｏｌｙ  ａｒｙｌｅｎｅ  ｓｕｌｆｉｄｅ）系樹脂を基材とした耐熱性の合成樹脂組成物が用いられて形成される。樹脂材料は、例えば鉄よりも比重が小さく軽量化に適した材料とされている。
【００７８】
略丸棒状の軸部材４１０，４２０の長手方向Ｄ２に略沿ってＯＰＵ３００が移動するときに、略丸孔状の第一の軸受部２１１と、略丸棒状の第一の軸部材４１０と、が摺接する。また、略丸棒状の軸部材４１０，４２０の長手方向Ｄ２に略沿ってＯＰＵ３００が移動するときに、略丸孔状の第二の軸受部２１２と、略丸棒状の第一の軸部材４１０と、が摺接する。また、略丸棒状の軸部材４１０，４２０の長手方向Ｄ２に略沿ってＯＰＵ３００が移動するときに、横倒し状の略Ｕ字状滑り軸受構造をした第三の軸受部２２１と、略丸棒状の第二の軸部材４２０と、が摺接する。
【００７９】
軸部材４１０，４２０は、ＯＰＵ３００のハウジング２００の軸受部２１１，２１２，２２１に対して摺接可能な例えばスライドシャフト４１０，４２０として形成されている。軸部材４１０，４２０は、例えば、「ＪＩＳ  Ｇ  ４３０４」に基づいて定められた「熱間仕上ステンレス鋼棒」、「ＪＩＳ  Ｇ  ４３１８」に基づいて定められた「冷間成形ステンレス鋼棒」等が用いられて形成されている。また、軸受部２１１，２１２，２２１は、スライドシャフト４１０，４２０に対して摺接可能な例えば摺動部２１１，２１２，２２１として形成されている。
【００８０】
ＯＰＵ３００は、ハウジング２００の第一の摺動部２１１と、第二の摺動部２１２と、第三の摺動部２２１とにより、一対のスライドシャフト４１０，４２０上に安定した略三点構造で移動可能に支持される。ＯＰＵ３００は、ハウジング２００の第一の摺動部２１１と、第二の摺動部２１２と、第三の摺動部２２１との主な三点によって、一対のスライドシャフト４１０，４２０上に移動可能に支持されるので、例えば四点支持構造のＯＰＵ（図示せず）よりも摩擦が減らされる。
【００８１】
また、第三の摺動部２２１は、開口された横倒し状の略Ｕ字状滑り軸受構造を構成するものとされているので、例えば副軸とされるスライドシャフト４２０へのＯＰＵ３００の組付け作業が容易に行われる。また、第三の摺動部２２１は、開口された横倒し状の略Ｕ字状滑り軸受構造を構成するものとされているので、例えば主軸とされる第一スライドシャフト４１０に対し、副軸とされる第二スライドシャフト４２０の平行度等の僅かな誤差は、開口された横倒し状の略Ｕ字状滑り軸受構造の第三の摺動部２２１により吸収される。
【００８２】
光ディスク装置１０の光ディスク装置本体１１に対して出し入れ可能なトレー２０が用いられて、光ディスク装置１０の光ディスク装置本体１１内にディスクＭが備えられる。光ディスク装置１０の光ディスク装置本体１１内に備えられるディスクＭとして、例えば、ＣＤ系光ディスク、ＤＶＤ系光ディスク、「ＨＤ  ＤＶＤ」系光ディスク、「ＣＢＨＤ」系光ディスク、及び「Ｂｌｕ−ｒａｙ  Ｄｉｓｃ」系光ディスク等の各種ディスクＭが挙げられる。
【００８３】
図１（Ａ）および図１（Ｂ）に示す光ディスク装置１０の光ディスク装置本体１１内に装備されたディスククランプ装置４３０用の略板状クランパ取付板金いわゆるクランパプレート３０は、光ディスクＭが光ディスク装置本体１１内に備えられたときに、光ディスクＭを回動可能に固定させるときに用いられるディスククランプ装置４３０を構成する例
えばクランパ取付部品とされている。また、ディスククランプ装置４３０用の略板状クランパプレート３０は、例えばディスククランプ装置４３０を構成し光ディスクＭを回動可能に固定させるクランパ４４０を例えば可動状態で支持する。
【００８４】
この光ディスク装置１０のディスククランプ装置４３０用の略板状クランパプレート３０は、光ディスクＭを備える光ディスク装置本体１１の電源が強制的に切られて、手動操作が行われて光ディスク装置本体１１からトレー２０が引き出されることにより、光ディスク装置本体１１内の光ディスクＭが光ディスク装置１０内から取り出されようとされる場合に、光ディスクＭが内装された状態の光ディスク装置本体１１が上下略逆さまにされたときに、光ディスクＭが光ディスク装置本体１１内のトレー２０上から落下されて複雑な構造をした光ディスク装置本体内部１２に引っ掛けられることを防ぐ略板状光ディスク落下引掛り防止部４０を有する。
【００８５】
略板状の光ディスク落下引掛り防止部４０を有する略板状のクランパプレート３０は、略板状の金属素材（図示せず）に打抜き、曲げ加工などのプレス金型成形加工が行われて形成される。
【００８６】
また、この光ディスク装置１０は、上記略板状光ディスク落下引掛り防止部４０を有する略板状クランパプレート３０を光ディスク装置本体１１内に備えている。
【００８７】
光ディスクＭが光ディスク装置本体１１内に備えられたときに、光ディスクＭを回動可能に固定させるときに用いられる光ディスク装置本体１１内の略板状クランパプレート３０に、略板状光ディスク落下引掛り防止部４０が備えられている。
【００８８】
図１（Ａ）および図１（Ｂ）に示す光ディスク装置１０のディスククランプ装置４３０用の略板状クランパプレート３０に略板状光ディスク落下引掛り防止部４０が備えられ、略板状光ディスク落下引掛り防止部４０を有するディスククランプ装置４３０用略板状クランパプレート３０が光ディスク装置本体１１内に備えられていれば、光ディスクＭを備える光ディスク装置本体１１の電源が強制的に切られて、手動操作が行われて光ディスク装置本体１１からトレー２０が引き出されることにより、光ディスク装置本体１１内の光ディスクＭが光ディスク装置１０内から取り出されようとされる場合に、光ディスクＭが内装された状態の光ディスク装置本体１１が上下略逆さまにされたときに、光ディスクＭが光ディスク装置本体１１内のトレー２０上から落下され、そのときに、複雑な構造をした光ディスク装置本体内部１２に光ディスクＭが不用意に引っ掛けられて、光ディスク装置本体１１内の光ディスクＭが光ディスク装置本体１１内からうまく取り出されることができなかったり、例えば光ディスク装置本体内部１２から無理やり光ディスクＭを引き抜こうとするあまり、複雑な構造をした光ディスク装置本体内部１２に不用意に引っ掛けられた光ディスクＭに傷が付いたりするといった不具合の発生は、回避される。上記不具合の発生は、光ディスク装置本体１１内のディスククランプ装置４３０用略板状クランパプレート３０に備えられた略板状光ディスク落下引掛り防止部４０により回避される。
【００８９】
光ディスク装置本体１１に対しトレー２０の引出方向Ｄ２ａが光ディスク装置本体１１の前側方向Ｄ２ａと定義され、光ディスク装置本体１１に対しトレー２０の挿入方向Ｄ２ｂが光ディスク装置本体１１の後側方向Ｄ２ｂと定義されたときに、略板状の光ディスク落下引掛り防止部４０は、略板状のクランパプレート３０を構成する略板状のクランパプレート本体３１の後側方向Ｄ２ｂに略沿って延設されている。
【００９０】
図１（Ａ）および図１（Ｂ）に示す光ディスク装置１０のディスククランプ装置４３０用略板状クランパプレート３０において、略板状クランパプレート本体３１の後側に略板状光ディスク落下引掛り防止部４０が備えられ、後側方向Ｄ２ｂに略沿って延設された略
板状光ディスク落下引掛り防止部４０を有するディスククランプ装置４３０用略板状クランパプレート３０が光ディスク装置本体１１内に備えられていれば、上記不具合の発生は、光ディスク装置本体１１内のディスククランプ装置４３０用略板状クランパプレート３０を構成する略板状のクランパプレート本体３１の後側方向Ｄ２ｂに略沿って延設された略板状光ディスク落下引掛り防止部４０により回避される。光ディスクＭを備える光ディスク装置本体１１の電源が強制的に切られ、且つ、光ディスクＭが内装された状態の光ディスク装置本体１１が上下略逆さまにされた状態で、手動操作が行われて光ディスク装置本体１１からトレー２０が引き出されることにより、光ディスク装置本体１１内の光ディスクＭが光ディスク装置１０内から取り出されようとされる場合に、光ディスク装置本体１１内のディスククランプ装置４３０用略板状クランパプレート３０を構成する略板状のクランパプレート本体３１の後側方向Ｄ２ｂに略沿って略板状光ディスク落下引掛り防止部４０が延設されているので、略板状クランパプレート本体３１及び／又は略板状光ディスク落下引掛り防止部本体４１上に落下された光ディスクＭが、複雑な構造をした光ディスク装置本体内部１２に不用意に引っ掛けられるということは回避される。
【００９１】
略板状の光ディスク落下引掛り防止部４０は、クランパプレート３０を構成する略板状のクランパプレート本体３１に対し略直交する方向Ｄ１に沿って折り曲げられると共にトレー２０に向けて延設された略板状のクランパプレート連成部３２と、略板状のクランパプレート連成部３２に続くと共に略板状のクランパプレート連成部３２に対し略直交して折り曲げられ、且つ、略板状のクランパプレート本体３１に対し略平行に延設された略板状の光ディスク落下引掛り防止部本体４１と、略板状の光ディスク落下引掛り防止部本体４１に続き、且つ、光ディスク落下引掛り防止部本体４１に対し略直交する方向Ｄ１に沿って折り曲げられると共にトレー２０に向けて延設された略板状の光ディスク停止部４２と、を有する構造とされている。
【００９２】
図１（Ａ）および図１（Ｂ）に示す光ディスク装置１０のディスククランプ装置４３０用の略板状クランパプレート３０に、上記略板状クランパプレート連成部３２と、上記略板状光ディスク落下引掛り防止部本体４１と、上記略板状光ディスク停止部４２と、を有する略板状光ディスク落下引掛り防止部４０が備えられ、上記所定構造をした略板状光ディスク落下引掛り防止部４０を有する略板状クランパプレート３０が光ディスク装置本体１１内に備えられていれば、上記不具合の発生は、光ディスク装置１０のディスククランプ装置４３０用の略板状クランパプレート３０に備えられた上記所定構造の略板状光ディスク落下引掛り防止部４０により確実に回避される。光ディスクＭを備える光ディスク装置本体１１の電源が強制的に切られて、手動操作が行われて光ディスク装置本体１１からトレー２０が引き出されることにより、光ディスク装置本体１１内の光ディスクＭが光ディスク装置１０内から取り出されようとされる場合に、光ディスクＭが内装された状態の光ディスク装置本体１１が上下略逆さまにされたときに、光ディスクＭが光ディスク装置本体１１内のトレー２０上から落下されても、光ディスクＭは、例えば略板状クランパプレート本体３１及び／又は略板状クランパプレート連成部３２を介して略板状クランパプレート本体３１に対し略平行に延設された略板状光ディスク落下引掛り防止部本体４１上に確実に備えられる。従って、略板状クランパプレート本体３１及び／又は略板状光ディスク落下引掛り防止部本体４１上に落下された光ディスクＭが、複雑な構造をした光ディスク装置本体内部１２に不用意に引っ掛けられるということは確実に回避される。また、光ディスク落下引掛り防止部本体４１に対し略直交する方向Ｄ１に沿って折り曲げられると共にトレー２０に向けて延設された略板状光ディスク停止部４２により、略板状クランパプレート本体３１及び／又は略板状光ディスク落下引掛り防止部本体４１上に落下された光ディスクＭが、複雑な構造をした光ディスク装置本体内部１２に不用意に引っ掛けられるということは確実に回避される。
【００９３】
また、各部が折り曲げられているので、変形されにくい略板状光ディスク落下引掛り防
止部４０を有する略板状クランパプレート３０が構成される。
【００９４】
なお、光ディスク装置１０、ＯＰＵ３００等の設計／仕様等により、光ディスク装置１０の光ディスク装置本体１１内に備えられる光ディスク落下引掛り防止部４０は、他の形態とされてもよい。例えば、光ディスクＭを備える光ディスク装置本体１１の電源が強制的に切られて、手動操作が行われて光ディスク装置本体１１からトレー２０が引き出されることにより、光ディスク装置本体１１内の光ディスクＭが光ディスク装置１０内から取り出されようとされる場合に、光ディスクＭが内装された状態の光ディスク装置本体１１が上下略逆さまにされたときに、光ディスクＭが光ディスク装置本体１１内のトレー２０上から落下されて複雑な構造をした光ディスク装置本体内部１２に引っ掛けられることを防ぐ略板状光ディスク落下引掛り防止部４０は、他の形態とされてもよい。例えば、光ディスク落下引掛り防止部（４０）を構成する光ディスク落下引掛り防止部本体（４１）や光ディスク停止部（４２）は、クランパプレート（３０）以外の他の部材に設けられたり他の部品に装備されたりしてもよい。
【００９５】
略板状の光ディスク落下引掛り防止部４０は、光ディスク装置１０内のＯＰＵ３００のＯＢＬ１１０，１２０上に埃・塵などの異物が溜まることを防ぐ略板状の異物堆積防止部４０を兼ねて形成されている。
【００９６】
図１（Ａ）および図１（Ｂ）に示す光ディスク装置１０のディスククランプ装置４３０用の略板状クランパプレート３０に略板状異物堆積防止部４０を兼ねた略板状光ディスク落下引掛り防止部４０が備えられ、略板状異物堆積防止部４０を兼ねた略板状光ディスク落下引掛り防止部４０を有する略板状クランパプレート３０が光ディスク装置本体１１内に備えられていれば、上記不具合の発生が回避されると共に、光ディスク装置１０内のＯＰＵ３００のＯＢＬ１１０，１２０上に埃・塵などの異物が溜まるという不具合の発生は回避される。
【００９７】
略板状異物堆積防止部４０を兼ねた略板状光ディスク落下引掛り防止部４０を有する略板状クランパプレート３０は、例えばねじ等の止具（図示せず）が用いられて光ディスク装置本体１１に備えられる。
【００９８】
また、光ディスクＭを回動可能に固定させるクランパ４４０が例えば緩み嵌め状態で装備されるクランパプレート３０は、金属材料が用いられて形成される。例えば、効率よく安価で大量にクランパプレート３０を形成させるために、圧延鋼板などの薄肉鋼板（何れも図示せず）に、打抜き加工、折曲げ加工、押付け加工などのプレス金型成形加工が行われてクランパプレート３０が形成される。具体的に説明すると、例えば圧延鋼板などの鉄を主成分とする金属素材板が用いられて、プレス成形機（何れも図示せず）などにより、クランパプレート３０が打抜き・折曲げ形成される。鉄を主成分とする金属素材板として、例えば、ステンレス鋼板、圧延鋼板、帯鋼などが挙げられる。例えば、冷間圧延鋼板および／または帯鋼として、「ＪＩＳ  Ｇ  ３１４１」に基づいて定められたＳＰＣＣ，ＳＰＣＤ，ＳＰＣＥ等が挙げられる。
【００９９】
また、例えば光ディスクＭに不用意に傷などが付くことを回避させるために、例えば樹脂材料などの合成重合体が用いられてクランパプレート（３０）が形成される。例えば、効率よく安価で大量にクランパプレート（３０）を形成させるために、熱可塑性的な性質を有し射出成形が可能な合成樹脂が用いられてクランパプレート（３０）が形成される。例えば、射出成形が可能とされ、熱可塑性的な性質を備え持つ合成重合体として、アクリロニトリル・ブタジエン・スチレン（ＡＢＳ：Ａｃｒｙｌｏｎｉｔｒｉｌｅ  ｂｕｔａｄｉｅｎｅ  ｓｔｙｒｅｎｅ）、ポリブチレンテレフタレート（ＰＢＴ：Ｐｏｌｙ  ｂｕｔｙｌｅｎｅ  ｔｅｒｅｐｈｔｈａｌａｔｅ）、ポリアミド（ＰＡ：ｐｏｌｙ  ａｍｉｄｅ
）、ポリプロピレン（ＰＰ：ｐｏｌｙ  ｐｒｏｐｙｌｅｎｅ）、ポリオキシメチレン（ＰＯＭ：ｐｏｌｙ  ｏｘｙ  ｍｅｔｈｙｌｅｎｅ）、ポリカーボネート（ＰＣ：ｐｏｌｙ  ｃａｒｂｏｎａｔｅ）、ＰＭＭＡ、ＬＣＰ、ＰＰＳ等のＰＡＳ、ポリエーテルエーテルケトン（ＰＥＥＫ（登録商標）：ｐｏｌｙ  ｅｔｈｅｒ  ｅｔｈｅｒ  ｋｅｔｏｎｅ）、ポリアリールエーテルケトン（ＰＥＡＫ：ｐｏｌｙ  ａｒｙｌ  ｅｔｈｅｒ  ｋｅｔｏｎｅ）等のケトン系樹脂などが挙げられる。クランパプレート（３０）は、例えば、ＡＢＳ、ＰＢＴ、ＰＰ、ＰＯＭ、ＰＣ、ＰＭＭＡ、ＬＣＰ、ＰＰＳ、ＰＡＳ、ＰＥＥＫ、ＰＥＡＫからなる群から選ばれる樹脂組成物のうちの少なくとも一種の樹脂組成物が用いられて形成される。
【０１００】
光ディスク装置１０（図１，図２）は、光ディスクＭが装備可能とされると共に光ディスク装置本体１１に対して出し入れ可能なトレー２０（図１）と、ターンテーブル４６０（図２）とターンテーブル４６０に対向するクランパ４４０（図１（Ｂ））とを有し光ディスクＭを挟み込んで固定可能なクランプ装置４３０と、ターンテーブル４６０（図２）を含み光ディスクＭを回転駆動させるドライブ装置４５０と、光ディスクＭにレーザ光を照射させるＯＰＵ３００と、光ディスクＭの一半径方向Ｄ２に沿ってＯＰＵ３００を移動させるときにＯＰＵ３００を移動可能に支持する一対のスライドシャフト４１０，４２０と、を備えて構成されている。上記略板状クランパプレート３０は、例えば、ターンテーブル４６０（図２）とターンテーブル４６０に対向するクランパ４４０（図１（Ｂ））とを有し光ディスクＭを挟み込んで固定可能なクランプ装置４３０を構成するものとされている。
【０１０１】
光ディスク装置１０を構成する略矩形箱状の金属製筐体４００（図２）いわゆるカバー４００に対し、出入り自在とされた略板状の合成樹脂製トレー２０（図１（Ａ），図１（Ｂ））が用いられて、光ディスク装置１０内に光ディスクＭが収容される。また、光ディスク装置１０を構成するカバー４００（図２）内に、光ディスクＭを回転させるドライブ装置４５０が収納されている。ドライブ装置４５０として、光ディスクＭが装備される略丸板状をした合成樹脂製ターンテーブル４６０を有するディスクドライブ装置４５０が用いられている。また、光ディスクＭのデータ／情報／信号を読み取ったり、光ディスクＭにデータ／情報／信号を記録させたり、光ディスクＭのデータ／情報／信号を消去させたりするＯＰＵ３００が、光ディスク装置１０を構成するカバー４００内に装備されている。各種部品が装備された下側の金属製カバー４００に上側の金属製カバー（図示せず）が装着されて、光ディスク装置１０が組み立てられる。
【０１０２】
ターンテーブル４６０とターンテーブル４６０に対向するクランパ４４０とを備えたクランプ装置４３０が用いられて、ターンテーブル４６０とクランパ４４０との間に、中心部Ｍｃに丸孔Ｍｂが形成された光ディスクＭが、位置決めされた状態で確実に挟み込まれて着脱自在に固定される。また、ドライブ装置４５０のスピンドルモータ（図示せず）上に設けられたターンテーブル４６０は、光ディスクＭの調芯と光ディスクＭの高速回転の安定化確保との両機能を兼ね備えたものとされている。
【０１０３】
上記ＯＰＵ３００、並びに上記ＯＰＵ３００を備える光ディスク装置１０は、上記各種光ディスクＭにデータ／情報／信号等を記録させたり、上記各種光ディスクＭのデータ／情報／信号等を再生させたりする記録・再生装置に使用可能とされる。具体的に説明すると、上記ＯＰＵ３００、並びに上記ＯＰＵ３００を備える光ディスク装置１０は、上記各種光ディスクＭにデータ／情報／信号等を記録させたり、上記各種光ディスクＭのデータ／情報／信号等を再生させたり、上記各種光ディスクＭのデータ／情報／信号等を消去させたりする記録・再生・消去可能装置に使用可能とされる。また、上記ＯＰＵ３００、並びに上記ＯＰＵ３００を備える光ディスク装置１０は、上記各種光ディスクＭのデータ／情報／信号等を再生させる再生専用装置にも使用可能とされる。
【０１０４】
また、上記ＯＰＵ３００、並びに上記ＯＰＵ３００及びクランパプレート３０を備える光ディスク装置１０は、例えば、コンピュータ、音響／映像機器、ゲーム機、車載機（何れも図示せず）などに組み付けられる光ディスク装置１０に装備される。また、上記ＯＰＵ３００、並びに上記ＯＰＵ３００を備える光ディスク装置１０は、例えば、ノート型パーソナルコンピュータ（ＰＣ：Ｐｅｒｓｏｎａｌ  Ｃｏｍｐｕｔｅｒ）や、ラップトップ型ＰＣや、デスクトップ型ＰＣや、車載用コンピュータなどのコンピュータや、コンピュータゲーム機などのゲーム機や、ＣＤプレーヤ／ＣＤレコーダ、ＤＶＤプレーヤ／ＤＶＤレコーダなどの音響および／または映像機器などに装備可能とされる（何れも図示せず）。また、上記ＯＰＵ３００は、「ＣＤ」系光ディスク、「ＤＶＤ」系光ディスク、「ＨＤ
ＤＶＤ」系光ディスク、「ＣＢＨＤ」系光ディスク、「Ｂｌｕ−ｒａｙ  Ｄｉｓｃ」系光ディスク等の複数のディスクＭに対応可能なものとされる。また、上記ＯＰＵ３００は、複数層の信号面部を有する一枚の光ディスクに対応可能なものとされている。上記ＯＰＵ３００は、例えば、「ＣＤ」、「ＤＶＤ」、「ＨＤ  ＤＶＤ」、「ＣＢＨＤ」、「Ｂｌｕ−ｒａｙ  Ｄｉｓｃ」などの各種光ディスクに対応したコンピュータ、音響および／または映像機器、ゲーム機、車載機などに装備可能とされている（何れも図示せず）。
【０１０５】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。
【産業上の利用可能性】
【０１０６】
例えば、「ＣＤ」、「ＤＶＤ」、「ＨＤ  ＤＶＤ」、「ＣＢＨＤ」、「Ｂｌｕ−ｒａｙ
Ｄｉｓｃ」等として挙げられる各種光ディスク等の各種メディアに記録されたデータ、情報、信号等を再生させたり、書込み可能もしくは書換え可能な各種光ディスク等の各種メディアにデータ、情報、信号等を記録させたり、書込み可能もしくは書換え可能な各種光ディスク等の各種メディアに記録されたデータ、情報、信号等を消去させたりすることが可能なピックアップ装置と共に用いられるクランパ取付部材、前記ピックアップ装置ならびにクランパ取付部材が備えられるディスク装置に適用可能とされるものである。
【符号の説明】
【０１０７】
１０    光ディスク装置（ディスク装置）
１１    光ディスク装置本体（ディスク装置本体）
１２    光ディスク装置本体内部（ディスク装置本体内部）
２０    トレー（ディスク搬送部材）
３０    クランパプレート（クランパ取付部材）
３１    クランパプレート本体（クランパ取付部材本体）
３２    クランパプレート連成部（クランパ取付部材連成部）
４０    異物堆積防止部（ディスク落下引掛り防止部）
４１    光ディスク落下引掛り防止部本体（ディスク落下引掛り防止部本体）
４２    光ディスク停止部（ディスク停止部）
５０    磁石（磁性部材）
６０    ヨーク（磁気連結部材）
７０    コイル
８０    サスペンションワイヤ（支持部材）
９０    レンズホルダ（保持部材）
１００  レンズ・ホルダ組立体（可動部組立体）
１１０，１２０  ＯＢＬ（レンズ）
１１１，１２１  曲面部
１４０  ダンピング保持部材
１４８  孔
１５０  ＰＷＢ（基板）
１５１  基板本体
１８０  被覆板
２００  ハウジング
２０１  ハウジング本体
２１１，２１２，２２１  摺動部（軸受部）
３００  ＯＰＵ（ピックアップ装置）
３１０  アクチュエータ（駆動装置）
３２０  固定部
３３０  可動部
４００  カバー（筐体）
４１０，４２０  スライドシャフト（軸部材）
４３０  ディスククランプ装置（クランプ装置）
４４０  クランパ
４５０  ディスクドライブ装置（ドライブ装置）
４６０  ターンテーブル
Ｄ１    フォーカシング方向（方向）
Ｄ２    トラッキング方向（方向）
Ｄ２ａ  引出方向（前側方向）
Ｄ２ｂ  挿入方向（後側方向）
Ｄ３    タンジェンシャル方向（方向）
Ｍ      ディスク（メディア）
Ｍａ    信号層（信号面部）
Ｍｂ    丸孔
Ｍｃ    中心部
【図１】
2010086650.tif 000003
【図２】
2010086650.tif 000004
【図３】
2010086650.tif 000005